(57)【要約】      （修正有）【課題】凹凸パターンの欠陥が少ない加飾シートを提供する。【解決手段】透明性を有する加飾シートであって、基材と、上記基材の一方の面側に位置し、複数の単位画素部が配置された単位画素部群を表面に有する凹凸層と、を備え、上記単位画素部は、ライン状の凸部および凹部が交互に配置された凹凸パターンを有し、上記単位画素部群は、上記単位画素部として、第１の軸ＬＡに沿って延びる上記凹凸パターンを有する第１の単位画素部１１Ａと、第２の軸ＬＢに沿って延びる上記凹凸パターンを有する第２の単位画素部１１Ｂと、を少なくとも備え、上記第１の軸および上記第２の軸が交差関係にある、加飾シート。【選択図】図５
2020175567.tif 000002
【特許請求の範囲】
【請求項１】
透明性を有する加飾シートであって、
基材と、
前記基材の一方の面側に位置し、複数の単位画素部が配置された単位画素部群を表面に有する凹凸層と、
を備え、
前記単位画素部は、ライン状の凸部および凹部が交互に配置された凹凸パターンを有し、
前記単位画素部群は、前記単位画素部として、
第１の軸に沿って延びる前記凹凸パターンを有する第１の単位画素部と、
第２の軸に沿って延びる前記凹凸パターンを有する第２の単位画素部と、
を少なくとも備え、
前記第１の軸および前記第２の軸が交差関係にある、加飾シート。
【請求項２】
前記第１の軸および前記第２の軸が交差する角度θ１２が、０°より大きく９０°以下である、請求項１に記載の加飾シート。
【請求項３】
前記角度θ１２が９０°である、請求項２に記載の加飾シート。
【請求項４】
前記単位画素部群は、前記単位画素部として、第３の軸に沿って延びる前記凹凸パターンを有する第３の単位画素部を備え、
前記第１の軸、前記第２の軸および前記第３の軸が、それぞれ交差関係にある、請求項１から請求項３までのいずれかの請求項に記載の加飾シート。
【請求項５】
前記第１の軸および前記第２の軸が交差する角度θ１２、および、前記第１の軸および前記第３の軸が交差する角度θ１３が、それぞれ、０°より大きく９０°以下である、請求項４に記載の加飾シート。
【請求項６】
前記角度θ１２および前記角度θ１３が６０°である、請求項５に記載の加飾シート。
【請求項７】
前記単位画素部群は、前記単位画素部として、第４の軸に沿って延びる前記凹凸パターンを有する第４の単位画素部を備え、
前記第１の軸、前記第２の軸、前記第３の軸および前記第４の軸が、それぞれ交差関係にある、請求項４から請求項６までのいずれかの請求項に記載の加飾シート。
【請求項８】
前記第１の軸および前記第２の軸が交差する角度θ１２、前記第１の軸および前記第３の軸が交差する角度θ１３、および、前記第１の軸および前記第４の軸が交差する角度θ１４が、それぞれ、０°より大きく９０°以下である、請求項７に記載の加飾シート。
【請求項９】
前記角度θ１２が９０°であり、前記角度θ１３および前記角度θ１４が４５°である、請求項８に記載の加飾シート。
【請求項１０】
点光源の装飾形状として、２種類以上の形状が得られる、請求項１から請求項９までのいずれかの請求項に記載の加飾シート。
【請求項１１】
前記単位画素部の平面視形状が矩形である、請求項１から請求項１０までのいずれかの請求項に記載の加飾シート。
【請求項１２】
前記単位画素部の一辺の長さが０．９μｍ以上１ｍｍ以下である、請求項１から請求項１１までのいずれかの請求項に記載の加飾シート。
【請求項１３】
前記単位画素部における前記凹凸パターンのライン本数が３本以上である、請求項１から請求項１２までのいずれかの請求項に記載の加飾シート。
【請求項１４】
前記単位画素部における前記凹凸パターンのピッチが０．３μｍ以上１００μｍ以下である、請求項１から請求項１３までのいずれかの請求項に記載の加飾シート。
【請求項１５】
請求項１から請求項１４までのいずれかの請求項に記載の加飾シートと、
前記加飾シートとの間に空間を設けて配置された点光源と、
を有するモジュール。
【発明の詳細な説明】
【技術分野】
【０００１】
本開示は、加飾シート、および、それを用いたモジュールに関する。
【背景技術】
【０００２】
ＬＥＤ光源のような点光源と視認者との間に、カバー（例えば加飾シート）を設置することで、点光源の視認形状（視認者によって視認される形状）を装飾する技術が知られている。例えば、特許文献１には、光を透過させる透光部を有するカバー本体と、発光部から照射された光を屈折、分散、拡散又は集束のうちの少なくともいずれか一つをさせて光の実像を形成する凹凸を有した賦形シートとを備える照明カバーが開示されている。この技術は、周囲を明るくするための照明やアミューズメントのための照明などにおいて、所望の美麗な発光状態を得ることを目的としている。
【先行技術文献】
【特許文献】
【０００３】
【特許文献１】特開２０１２−７９６００号公報
【発明の概要】
【発明が解決しようとする課題】
【０００４】
例えば特許文献１には、賦形シートが、多数の三角錐を密に並べた凹凸を有することが開示されている。点光源の視認形状を装飾するためには、凹凸パターンを微細にする必要がある。一般的に、凹凸パターンを微細にするほど、凹凸パターンに欠陥が生じやすい。
【０００５】
本開示は、上記実情に鑑みてなされたものであり、凹凸パターンの欠陥が少ない加飾シートを提供することを主目的とする。
【課題を解決するための手段】
【０００６】
本開示においては、透明性を有する加飾シートであって、基材と、上記基材の一方の面側に位置し、複数の単位画素部が配置された単位画素部群を表面に有する凹凸層と、を備え、上記単位画素部は、ライン状の凸部および凹部が交互に配置された凹凸パターンを有し、上記単位画素部群は、上記単位画素部として、第１の軸に沿って延びる上記凹凸パターンを有する第１の単位画素部と、第２の軸に沿って延びる上記凹凸パターンを有する第２の単位画素部と、を少なくとも備え、上記第１の軸および上記第２の軸が交差関係にある、加飾シートを提供する。
【０００７】
また、本開示においては、上述した加飾シートと、上記加飾シートとの間に空間を設けて配置された点光源と、を有するモジュールを提供する。
【発明の効果】
【０００８】
本開示における加飾シートは、凹凸パターンの欠陥が少ないという効果を奏する。
【図面の簡単な説明】
【０００９】
【図１】本開示における加飾シートを例示する模式図である。
【図２】本開示における単位画素部群の一部を例示する模式図である。
【図３】本開示における凹凸パターンを例示する概略断面図である。
【図４】本開示における凹凸パターンを例示する概略断面図である。
【図５】本開示における単位画素部群の一部を例示する概略平面図である。
【図６】本開示における単位画素部群の一部を例示する概略平面図である。
【図７】本開示における単位画素部群の一部を例示する概略平面図である。
【図８】本開示における単位画素部群の一部を例示する概略平面図である。
【図９】本開示における単位画素部群の一部を例示する概略平面図である。
【図１０】本開示における加飾シートを例示する概略断面図である。
【図１１】本開示におけるモジュールを例示する概略断面図である。
【図１２】比較例１における凹凸パターンを示す概略平面図である。
【発明を実施するための形態】
【００１０】
下記に、図面等を参照しながら本開示における実施の形態を説明する。ただし、本開示は多くの異なる態様で実施することが可能であり、下記に例示する実施の形態の記載内容に限定して解釈されるものではない。また、図面は説明をより明確にするため、実際の形態に比べ、各部の幅、厚さ、形状等について模式的に表わされる場合があるが、あくまで一例であって、本開示における解釈を限定するものではない。また、本明細書と各図において、既出の図に関して前述したものと同様の要素には、同一の符号を付して、詳細な説明を適宜省略することがある。
【００１１】
本明細書において、ある部材の上に他の部材を配置する態様を表現するにあたり、単に「上に」、あるいは「下に」と表記する場合、特に断りの無い限りは、ある部材に接するように、直上、あるいは直下に他の部材を配置する場合と、ある部材の上方、あるいは下方に、さらに別の部材を介して他の部材を配置する場合との両方を含むものとする。同様に、本明細書において、「ある部材の面側に」と表記する場合、特段の断りのない限りは、ある部材の面に接するように直接、他の部材を配置する場合と、ある部材の面に別の部材の介して他の部材を配置する場合との両方を含むものとする。
【００１２】
Ａ．加飾シート
図１（ａ）および図１（ｂ）は、本開示における加飾シートを例示する概略断面図および概略平面図である。また、図２（ａ）は単位画素部群の一部の拡大平面図であり、図１（ｂ）のＺ部分の拡大図に相当する。図２（ｂ）は図２（ａ）のＸ−Ｘ線断面図であり、単位画素部の概略断面図である。
【００１３】
図１および図２に示す加飾シート１０は、基材１と、基材１の一方の面側に位置し、複数の単位画素部１１が配置された単位画素部群を表面に有する凹凸層２とを備える。単位画素部１１は、ライン状の凸部および凹部が交互に配置された凹凸パターンを有する。凹凸パターン１１１は、平面視形状がライン状の凹部１１１ａと、平面視形状がライン状の凸部１１１ｂとが、それぞれ長尺方向を同一の方向にして交互に複数本配置されて構成されている。なお、図２（ｂ）では、凹部１１１ａが４本（１１１ａ1〜１１１ａ4）、凸部１１１ｂが４本（１１１ｂ1〜１１１ｂ4）の合計８本で構成される凹凸パターンが形成されている。
【００１４】
また、単位画素部群は、単位画素部１１として、第１の軸ＬＡに沿って延びる凹凸パターン１１１Ａを有する第１の単位画素部１１Ａと、第２の軸ＬＢに沿って延びる凹凸パターン１１１Ｂを有する第２の単位画素部１１Ｂと、を少なくとも備え、第１の軸ＬＡおよび第２の軸ＬＢが交差関係にある。
【００１５】
本開示によれば、第１の単位画素部および第２の単位画素部を含む複数の単位画素部を用いることで、単位画素部のサイズを相対的に大きくすることができるため、凹凸パターンの欠陥が少ない加飾シートとすることができる。例えば特許文献１には、賦形シートが、多数の三角錐を密に並べた凹凸を有することが開示されている。特許文献１では、各々の三角錐が光の回折、干渉に直接寄与するため、点光源の視認形状を装飾するためには、各々の三角錐（凹凸パターン）の形状自体を微細にする必要がある。一般的に、凹凸パターンを微細にするほど、凹凸パターンに欠陥が生じやすい。
【００１６】
これに対して、本開示においては、第１の軸に沿って延びる凹凸パターン有する第１の単位画素部と、第２の軸に沿って延びる凹凸パターンを有する第２の単位画素部とを用い、さらに、第１の軸および第２の軸が交差関係になるように配置することで、点光源の視認形状を装飾する。すなわち、一つの単位画素部ではなく、複数の単位画素部により、点光源の視認形状を装飾するため、単位画素部のサイズを相対的に大きくすることができる。その結果、凹凸パターンの欠陥が少ない加飾シートを得ることができる。また、単位画素部のサイズを相対的に大きくすることができるため、加飾シートの耐久性も向上する。
【００１７】
さらに、本開示においては、一つの単位画素部ではなく、複数の単位画素部により、点光源の視認形状を装飾するため、例えば、点光源の装飾形状が面方向（厚さと直交する方向）において連続的に変化した加飾シートを容易に得ることができる。例えば特許文献１には、多数の三角錐を密に並べた凹凸を有する賦形シートが記載されているが、このような規則的な凹凸パターンを形成するためには、例えば、対応する凹凸パターンを有する転写原版を用いる。転写原版に規則的な凹凸パターンを形成する方法として、典型的には、切削が用いられる。切削は、広い面積に規則的な凹凸パターンを形成することは得意であるが、点光源の装飾形状が面方向（厚さと直交する方向）において連続的に変化するような凹凸パターンを形成することは困難である。
【００１８】
１．凹凸層
本開示における凹凸層は、基材の一方の面側に位置し、複数の単位画素部が配置された単位画素部群を表面に有する層である。また、凹凸層は、点光源からの光を視認可能な程度の透明性を有する。
【００１９】
（１）単位画素部群
単位画素部群は、複数の単位画素部が配置されて構成される。
【００２０】
（ｉ）単位画素部
単位画素部は、ライン状の凸部および凹部が交互に配置された凹凸パターンを有する。凸部および凹部の平面視形状は、通常、ライン状（直線状）である。凸部および凹部の断面形状としては、例えば、正方形、長方形等の矩形、台形、三角形、半円形、放物線状、釣鐘形、双曲線状が挙げられる。凸部および凹部は、断面形状が同一であってもよく、異なってもよい。図３（ａ）〜（ｅ）は、凹凸パターンの、長手方向と直交する方向における断面形状の例を示す模式図である。
【００２１】
また、凹凸パターンの長手方向と直交する方向における断面形状は、交互に配置される凸部および凹部の断面形状に応じて決定され、例えば、方形波、台形波、正弦波形、三角波形、鋸歯状波が挙げられる。凹凸パターンの凸部の頂部または凹部の底部は、平坦面であってもよく、尖っていてもよく、曲面を有していてもよい。
【００２２】
また、図４（ａ）に示すように、凹凸パターン１１１は、凹部１１１ａの底部が凹凸層２の表面Ｓと同一面内にあり、且つ、凸部１１１ｂの頂部が凹凸層２の表面Ｓよりも厚さ方向において上方に位置していてもよい。また、図４（ｂ）に示すように、凸部１１１ｂの頂部が凹凸層２の表面Ｓと同一面内にあり、且つ、凹部１１１ａの底部が凹凸層２の表面Ｓよりも厚さ方向において下方に位置していてもよい。この場合、加飾シートを作製する際に、凹凸層に気泡が形成されることを抑制できる。
【００２３】
図４（ａ）の場合、表面Ｓから突出している凹凸層２の部分を凸部１１１ｂとし、凸部１１１ｂに隣接し凹凸層２が無い部分を凹部１１１ａとすることができる。そして、凹部１１１ａおよび凸部１１１ｂの本数は、図４（ａ）においては、凹部１１１ａが４本、凸部１１１ｂが３本であり、ライン本数は合計７本である。一方、図４（ｂ）の場合、表面Ｓから窪んでいる部分を凹部１１１ａとし、隣接する２つの凹部１１１ａの間に位置する凹凸層２の部分を凸部１１１ｂとすることができる。そして、凹部１１１ａおよび凸部１１１ｂの本数は、図４（ｂ）においては、凹部１１１ａが３本、凸部１１１ｂが４本であり、ライン本数は合計７本である。
【００２４】
なお、図３（ｂ）〜（ｄ）のような場合、凹凸パターンの底部と頂部との間に仮想に設けられた基準線Ｒに対して、基準線Ｒより頂部側の部分を凸部１１１ｂとし、凸部に隣接し凹凸層２が無い部分を凹部１１１ａとすることができる。
【００２５】
単位画素部における凹凸パターンのライン本数は、例えば３本以上であり、５本以上であってもよく、１０本以上であってもよい。ライン本数が少なすぎると、回折光および干渉光の強度が弱くなり、所望の意匠性を発現できない可能性がある。一方、単位画素部における凹凸パターンのライン本数は、例えば１０００本以下であり、１００本以下であってもよい。ライン本数が多すぎると、単位画素部が相対的に大きくなり、単位画素部が目視されやすくなる。ライン本数は、ライン状の凹部の本数と、ライン状の凸部の本数との総数である。
【００２６】
凹部および凸部の長手方向の長さは、単位画素部の平面視形状の寸法に応じて適宜設定される。一方、凹部の幅および凸部の幅は、それぞれ、等しくてもよく、異なっていてもよい。後者の場合、凹部の幅と凸部の幅との比率は、例えば、１：９以上９：１以下であり、３：７以上７：３以下であってもよい。凹部の幅および凸部の幅は、それぞれ、凹部および凸部の平面視上において、凹凸パターンの長手方向と直交する方向の長さである。例えば図２（ｂ）および図３（ａ）〜（ｅ）において、凹部の幅はＤａで示す部分であり、凸部の幅はＤｂで示す部分である。
【００２７】
凹凸パターンのピッチ（凹凸周期）としては、例えば０．３μｍ以上であり、０．５μｍ以上であってもよく、３μｍ以上であってもよく、５μｍ以上であってもよい。凹凸パターンのピッチが小さすぎると、回折光および干渉光の強度が弱くなり、所望の意匠性を発現できない可能性がある。一方、凹凸パターンのピッチは、例えば１００μｍ以下であり、８０μｍ以下であってもよく、６０μｍ以下であってもよく、３０μｍ以下であってもよい。凹凸パターンのピッチは、一の凸部の幅と、その凸部に隣接する一の凹部の幅との和である。例えば図２（ｂ）、図３（ａ）〜（ｅ）において、凹凸パターンのピッチは、Ｐで示す部分である。
【００２８】
単位画素部の凹凸パターンの凹凸段差としては、例えば、０．０５μｍよりも大きく２０μｍよりも小さく、０．１μｍ以上３μｍ以下であってもよい。凹凸段差が小さすぎると、回折光および干渉光の強度が弱くなり、所望の意匠性を発現できない可能性がある。一方、凹凸段差が大きすぎると、加飾シートの製造が困難になる可能性がある。凹凸段差は、凸部の頂部から、その凸部に隣接する凹部の底部までの間の距離である。例えば図２（ｂ）、図３（ａ）〜（ｅ）において、凹凸段差は、Ｔで示す部分である。
【００２９】
単位画素部の平面視形状としては、例えば、三角形、正方形、長方形等の矩形、六角形等の多角形、円形が挙げられる。単位画素部のアスペクト比は、例えば、１０：１以上１：１０以下であり、５：１以上１：５以下であってもよい。単位画素部のアスペクト比は、単位画素部に外接する最小の正方形または長方形を想定した場合において、直交関係にある二辺の比である。
【００３０】
単位画素部の平面視形状の大きさは、単位画素部に所望の本数の凹凸パターンを有することが可能な大きさであればよい。単位画素部の一辺の長さは、例えば０．９μｍ以上であり、１．５μｍ以上であってもよく、１５μｍ以上であってもよく、２５μｍ以上であってもよい。一方、単位画素部の一辺の長さは、例えば１ｍｍ以下であり、８００μｍ以下であってもよく、３００μｍ以下であってもよく、８０μｍ以下であってもよい。単位画素部の一辺の長さは、単位画素部に外接する最小の正方形または長方形を想定した場合において、正方形の一辺の長さまたは長方形の長辺の長さである。本開示においては、単位画素部の平面視形状が矩形であり、一辺の長さが０．９μｍ以上１ｍｍ以下であることが好ましい。
【００３１】
（ii）単位画素部群
単位画素部群は、複数の単位画素部が配置されて構成される。さらに、単位画素部群は、単位画素部として、第１の軸に沿って延びる凹凸パターンを有する第１の単位画素部と、第２の軸に沿って延びる凹凸パターンを有する第２の単位画素部と、を少なくとも備える。
【００３２】
単位画素部群は、単位画素部として、第１の単位画素部および第２の単位画素部のみを有していてもよく、他の１種または２種以上の単位画素部をさらに有していてもよい。これらの単位画素部は、互いに隣接していることが好ましい。２つの単位画素部が隣接するとは、２つの単位画素部が同じ辺または同じ頂点を共有する状態をいう。また、これらの単位画素部は、凹凸パターンが延びる軸がそれぞれ交差していることが好ましい。
【００３３】
第１の単位画素部における第１の軸と、第２の単位画素部における第２の軸とは、交差関係にある。例えば図５（ａ）では、第１の単位画素部１１Ａにおける第１の軸ＬＡと、第２の単位画素部１１Ｂにおける第２の軸ＬＢとが、交差関係にある。図５（ａ）では、単位画素部１１Ａおよび単位画素部１１Ｂが市松模様に配置されている。
【００３４】
第１の軸ＬＡおよび第２の軸ＬＢが交差する角度を角度θ１２とする。なお、本開示においては、第Ｍの軸ＬＭおよび第Ｎの軸ＬＮが交差する角度を角度θＭＮと表記する。角度θ１２は、通常、０°より大きく９０°以下であり、５°以上８５°以下であってもよく、１５°以上７５°以下であってもよく、３０°以上６５°以下であってもよい。図５（ａ）では、角度θ１２が９０°である。交差する角度とは、一方の軸方向と、他方の軸方向とがなす角度のうち、鋭角側の角度をいう。本開示における交差する角度は、本開示における効果を過度に損なわない程度に、製造に起因する誤差を含んで理解される。例えば、交差する角度をＸ°とするとき、Ｘ°±２°の幅をもって理解され得る。
【００３５】
単位画素部群において、第１の単位画素部の個数および第２の単位画素部の個数の合計に対する、第１の単位画素部の個数の割合は、例えば２０％以上８０％以下であり、３０％以上７０％以下であってもよく、４０％以上７０％以下であってもよい。第１の単位画素部の個数の上記割合は、５０％であってもよい。
【００３６】
単位画素部群は、単位画素部として、第１の単位画素部および第２の単位画素部に加えて、第３の軸に沿って延びる凹凸パターンを有する第３の単位画素部を備えていてもよい。この場合、第１〜第３の軸は、それぞれ交差関係にある。例えば図５（ｂ）では、第１の単位画素部１１Ａにおける第１の軸ＬＡと、第２の単位画素部１１Ｂにおける第２の軸ＬＢと、第３の単位画素部１１Ｃにおける第３の軸ＬＣとが、それぞれ交差関係にある。
【００３７】
上述したように、角度θ１２は、通常、０°より大きく９０°以下であり、５°以上８５°以下であってもよく、１５°以上７５°以下であってもよく、３０°以上６５°以下であってもよい。また、角度θ１３および角度θ２３についても、上記範囲であることが好ましい。図５（ｂ）では、角度θ１２および角度θ１３が６０°である。また、第１の軸を基準として、第１の軸から第２の軸に向かう回転方向を正とした場合、第１の軸から第３の軸に向かう回転方向は負であることが好ましい。例えば図５（ｂ）では、第１の軸ＬＡを基準（０°）として、第２の軸ＬＢの回転角は＋６０°であり、第３の軸ＬＣの回転角は−６０°である。
【００３８】
単位画素部群において、第１〜第３単位画素部の個数の合計に対する、第１の単位画素部の個数の割合は、例えば１０％以上９０％以下であり、１５％以上７０％以下であってもよく、２０％以上５０％以下であってもよい。第２、第３の単位画素部の個数の上記割合についても、上記範囲であることが好ましい。
【００３９】
単位画素部群は、単位画素部として、第１〜第３の単位画素部に加えて、第４の軸に沿って延びる凹凸パターンを有する第４の単位画素部を備えていてもよい。この場合、第１〜第４の軸は、それぞれ交差関係にある。例えば図５（ｃ）では、第１の単位画素部１１Ａにおける第１の軸ＬＡと、第２の単位画素部１１Ｂにおける第２の軸ＬＢと、第３の単位画素部１１Ｃにおける第３の軸ＬＣと、第４の単位画素部１１Ｄにおける第４の軸ＬＤとが、それぞれ交差関係にある。
【００４０】
上述したように、角度θ１２は、通常、０°より大きく９０°以下であり、５°以上８５°以下であってもよく、１５°以上７５°以下であってもよく、３０°以上６５°以下であってもよい。第１〜第４の軸における任意のなす角度についても、上記範囲であることが好ましい。図５（ｃ）では、角度θ１２が９０°であり、角度θ１３および角度θ１４が４５°である。また、第１の軸を基準として、第１の軸から第３の軸に向かう回転方向を正とした場合、第１の軸から第４の軸に向かう回転方向は負であることが好ましい。例えば図５（ｃ）では、第１の軸ＬＡを基準（０°）として、第３の軸ＬＣの回転方向は＋４５°であり、第４の軸ＬＤの回転方向は−４５°である。第２の軸の回転方向は正であってもよく、負であってもよい。例えば図５（ｃ）では、第１の軸ＬＡを基準（０°）として、第２の軸ＬＢの回転方向は９０°である。
【００４１】
単位画素部群において、第１〜第４の単位画素部の個数の合計に対する、第１の単位画素部の個数の割合は、例えば５％以上９０％以下であり、１０％以上６０％以下であってもよく、１５％以上４０％以下であってもよい。第２〜第４の単位画素部の個数の上記割合についても、上記範囲であることが好ましい。
【００４２】
本開示においては、点光源の装飾形状として、１種類の形状が得られてもよく、２種類以上の形状が得られてもよく、３種類以上の形状が得られてもよい。さらに、２種類以上の形状が得られる場合、それらの形状を得るためのパターンが単位画素部群に連続的に配置されていることが好ましい。例えば、単位画素部群が、図５（ａ）〜（ｃ）に示すパターンを連続的に有する場合、図５（ａ）に示すパターン領域では、四方向に光が延びた装飾形状が得られ、図５（ｂ）に示すパターン領域では、六方向に光が延びた装飾形状が得られ、図５（ｃ）に示すパターン領域では、八方向に光が延びた装飾形状が得られる。本開示においては、複数の単位画素部を用いて単位画素部群を作製するため、単位画素部の配置を調整することで、装飾形状の変化部（継ぎ目）が視認されにくい加飾シートが容易に得られる。本開示における加飾シートは、点光源の装飾形状として、四方向、六方向および八方向の少なくとも２種類以上の形状を有することが好ましい。
【００４３】
単位画素部群は、複数の単位画素部を有するが、各々の単位画素部における凹凸パターンの形状は、同じであってもよく、異なっていてもよい。前者の場合、例えば、各々の単位画素部は、凹凸パターンが延びる軸方向以外が同じであってもよい。また、各々の単位画素部の平面視形状は、同じであってもよく、異なっていてもよい。
【００４４】
例えば、上述した図１（ｂ）に示す単位画素部群の一部分Ｚは、平面視形状が正方形で同一であり、且つ、凹凸パターンが同一の複数の単位画素部１１Ａ、１１Ｂにより構成されている。一方、図６に示す単位画素部群の一部分Ｚは、平面視形状が三角形である第１の単位画素部１１Ａと、四角形である第２の単位画素部１１Ｂと、五角形である第３の単位画素部１１Ｃと、により構成されている。図６では、第１の単位画素部１１Ａ、第２の単位画素部１１Ｂおよび第３の単位画素部１１Ｃは、凹凸パターンが同一である。
【００４５】
図６において、第１の単位画素部１１Ａは、第１の軸ＬＡに沿って延びる凹凸パターン１１１Ａを有する。第２の単位画素部１１Ｂは、第２の軸ＬＢに沿って延びる凹凸パターン１１１Ｂを有する。第３の単位画素部１１Ｃは、第３の軸ＬＣに沿って延びる凹凸パターン１１１Ｃを有する。また、第１の軸ＬＡ、第２の軸ＬＢおよび第３の軸ＬＣは、それぞれ交差関係にある。図６においては、第１の軸ＬＡおよび第２の軸ＬＢが交差する角度θ１２、第２の軸ＬＢおよび第３の軸ＬＣが交差する角度θ２３、第１の軸ＬＡおよび第３の軸ＬＣが交差する角度θ１３が、それぞれ６０°である例を示す。図６に示すように、単位画素部の平面視形状に規則性はなくてもよい。
【００４６】
単位画素部群において、隣接する２つの単位画素部の平面視形状は、互いに合同の関係にあってもよく、互いに合同の関係になくてもよい。合同の関係にあるとは、数学（幾何学）上でいう「合同」の関係にあることをいう。すなわち、隣接する２つの単位画素部が合同の関係にある場合、両者の平面視形状（外周形状）および大きさは同一である。なお、各画素部における凹凸パターンは、同じであってもよく、異なっていてもよい。例えば、図７では、単位画素部群を構成する全ての単位画素部（１１Ａ〜１１Ｄ）が、合同の関係にある。
【００４７】
また、本開示における単位画素部群の平面視形状は、例えば合同な三角形であってもよい。例えば図８（ａ）では、第１の単位画素部１１Ａおよび第２の単位画素部１１Ｂの平面視形状が、それぞれ、合同な直角二等辺三角形であり、第１の単位画素部１１Ａおよび第２の単位画素部１１Ｂを、それぞれ２個用いることで、正方形の集合画素部を形成している。このような正方形の集合画素部では、図５（ａ）と同様に、四方向に光が延びた装飾形状が得られる。
【００４８】
また、例えば図８（ｂ）では、第１の単位画素部１１Ａ、第２の単位画素部１１Ｂおよび第３の単位画素部１１Ｃの平面視形状が、それぞれ頂角６０°の合同な直角二等辺三角形であり、第１の単位画素部１１Ａ、第２の単位画素部１１Ｂおよび第３の単位画素部１１Ｃを、それぞれ２個用いることで、正六角形の集合画素部を形成している。このような正六角形の集合画素部では、図５（ｂ）と同様に、六方向に光が延びた装飾形状が得られる。
【００４９】
また、例えば図８（ｃ）では、第１の単位画素部１１Ａ、第２の単位画素部１１Ｂ、第３の単位画素部１１Ｃおよび第４の単位画素部１１Ｄの平面視形状が、それぞれ頂角４５°の合同な直角二等辺三角形であり、第１の単位画素部１１Ａ、第２の単位画素部１１Ｂ、第３の単位画素部１１Ｃおよび第４の単位画素部１１Ｄを、それぞれ２個用いることで、正八角形の集合画素部を形成している。このような正八角形の集合画素部では、図５（ｃ）と同様に、八方向に光が延びた装飾形状が得られる。
【００５０】
一方、単位画素部群において、隣接する２つの単位画素部の平面視形状は、互いに合同の関係になくてもよい。例えば図６では、単位画素部群を構成する全ての単位画素部（１１Ａ〜１１Ｃ）が、合同の関係にない。また、単位画素部群において、隣接する２つの単位画素部の平面視形状が互いに合同の関係にない場合には、相似の関係も含まれる。例えば図９では、第１の単位画素部１１Ａの平面視形状と、第２〜第４の単位画素部１１Ｂ〜１１Ｄの各々の平面視形状とが、相似の関係となる。
【００５１】
複数の単位画素部は、通常、間隔を有さずに配置されるが、例えば、単位画素部の平面視形状が円形の場合等のように、単位画素部の平面視形状によっては、間隔を有して配置されてもよい。
【００５２】
（２）凹凸層の構成
凹凸層の材料としては、例えば、熱可塑性樹脂、硬化樹脂等の樹脂が挙げられる。硬化樹脂としては、例えば、熱硬化性樹脂を加熱して硬化した樹脂（熱硬化樹脂）、電離放射線樹脂を電離放射線の照射により硬化した樹脂（電離放射線硬化樹脂）が挙げられる。ここで、「電離放射線」とは、電磁波または荷電粒子線のうち、分子を重合あるいは架橋し得るエネルギー量子を有する放射線をいい、例えば、紫外線や電子線の他、Ｘ線、γ線等の電磁波、α線、イオン線等の荷電粒子線が挙げられる。電離放射線硬化樹脂としては、例えば、紫外線硬化樹脂、電子線硬化樹脂が挙げられる。
【００５３】
凹凸層の材料の具体例としては、ポリエチレンテレフタレート、ポリカーボネート、アクリル樹脂、シクロオレフィン樹脂、ポリエステル樹脂、ポリスチレン樹脂、アクリルスチレン樹脂が挙げられる。
【００５４】
凹凸層の厚さは、例えば１μｍ以上であり、２０μｍ以上であってもよい。凹凸層が薄すぎると、所望の単位画素部を形成できない可能性がある。一方、凹凸層の厚さは、例えば２００μｍ以下であり、５０μｍ以下であってもよい。凹凸層が厚すぎると、三次元成形性が低下したり、コストが増加したりする可能性がある。なお、凹凸層の厚さは、例えば図２（ｂ）におけるＨで示す部分である。
【００５５】
２．基材
基材は、凹凸層を支持する層であり、点光源からの光を視認可能な程度の透明性を有する。
【００５６】
基材の材料としては、例えば、ポリエチレンテレフタレート、ポリカーボネート、アクリル樹脂、シクロオレフィン樹脂、ポリエステル樹脂、ポリスチレン樹脂、アクリルスチレン樹脂等の樹脂が挙げられる。
【００５７】
基材の厚さは、例えば２５μｍ以上であり、５０μｍ以上であってもよい。一方、基材の厚さは、加飾シートの使用態様によって異なるが、例えば７００μｍ以下であり、５００μｍ以下であってもよく、２００μｍ以下であってもよい。基材の凹凸層側の表面には、密着性を向上させる目的で、コロナ放電処理、オゾン処理等の易接着性処理、プライマーコート等の表面処理が施されていてもよい。
【００５８】
また、本開示における加飾シートは、凹凸層および基材が一体であってもよい。凹凸層および基材が一体であるとは、図１０に例示するように、凹凸層２および基材１が同一材料で形成された単層であることをいう。
【００５９】
３．加飾シート
本開示における加飾シートは、点光源からの光を視認可能な程度の透明性を有する。加飾シートの全光線透過率は、例えば１０％以上であり、５０％以上であってもよく、９０％以上であってもよい。全光線透過率は、ＪＩＳ Ｋ ７３６１−１（プラスチック−透明材料の全光線透過率の試験方法）に基づいて測定される。測定には、例えば、紫外・可視・近赤外分光光度計（島津製作所ＵＶ−３６００）および積分球付属装置（ＩＳＲ−３１００）を用いることができる。また、標準板として、例えば、米国ラブスフェア社製スペクトラロン（テフロン（登録商標）製）を用いることができる。本開示においては、基材および凹凸層が、それぞれ、上述した全光線透過率を有することが好ましい。
【００６０】
また、加飾シートは、基材および凹凸層を少なくとも備える。加飾シートは、必要に応じて任意の他の層をさらに備えていてもよい。他の層としては、例えば、凹凸層を保護する保護層、印刷層、遮光パターン層、プライマー層が挙げられる。また、加飾シートは、基材を基準にして、凹凸層とは反対側に、接着層を有していてもよい。また、本開示における加飾シートは、後述するように、点光源とともに用いられることが好ましい。
【００６１】
加飾シートの製造方法は、特に限定されない。例えば、凹凸層を形成するための組成物が、電離放射線硬化樹脂を含有する場合、基材の一方の表面に上記組成物を塗布して塗布層を形成し、その後、単位画素部の凹凸パターンに対応するパターンを表面に有する原版を、塗布層に押し当てて電離放射線を照射することで、加飾シートを得ることができる。また、例えば、凹凸層を形成するための組成物が、熱可塑性樹脂を含有する場合、基材表面に上記組成物を押出ラミネートしながら、上記原版を押し当てることで、加飾シートを得ることができる。
【００６２】
Ｂ．モジュール
図１１は、本開示におけるモジュールを例示する概略断面図である。図１１に示すモジュール１００は、加飾シート１０と、加飾シート１０との間に空間を設けて配置された光源２０とを有する。加飾シート１０は、透明性を有する支持部材３０の点光源２０側の面に形成され、点光源２０は固定部材４０に固定されている。
【００６３】
本開示によれば、上述した加飾シートを用いることで、凹凸パターンの欠陥が少ないモジュールとすることができる。
【００６４】
１．加飾シート
本開示における加飾シートについては、上記「Ａ．加飾シート」に記載した内容と同様であるので、ここでの記載は省略する。
【００６５】
２．点光源
本開示における点光源は、加飾シートとの間に空間を設けて配置される。点光源の典型例としては、発光ダイオード（ＬＥＤ）光源が挙げられる。ＬＥＤ光源は、単色のＬＥＤ素子を有していてもよく、複数色のＬＥＤ素子を有していてもよい。ＬＥＤ素子としては、例えば、赤色ＬＥＤ素子、緑色ＬＥＤ素子および青色ＬＥＤ素子が挙げられる。ＬＥＤ素子のサイズは、マイクロサイズであることが好ましく、例えば、１０μｍ角以上１００μｍ角以下であり、５０μｍ角以上１００μｍ角以下であってもよい。
【００６６】
点光源の平面視形状としては、例えば、正方形、長方形等の矩形が挙げられる。点光源の一辺の長さは、例えば０．５ｍｍ以上５．０ｃｍ以下であり、０．８ｍｍ以上３．０ｃｍ以下であってもよい。
【００６７】
３．モジュール
本開示におけるモジュールは、加飾シートおよび点光源を少なくとも有する。モジュールは、例えば図１１に示すように、加飾シートを支持する支持部材を有していてもよい。支持部材は、通常、透明性を有する。支持部材としては、例えば、樹脂、ガラスが挙げられる。支持部材の形状は特に限定されず、平板状であってもよく、曲面状であってもよい。
【００６８】
また、加飾シートは、支持部材を基準として、点光源側に配置されていてもよく、点光源とは反対側に配置されていてもよい。前者は、支持部材が加飾シートを保護するため、加飾シートの破損を抑制できるという効果を有する。一方、後者は、例えば、既存のモジュールに加飾シートを後付けすることで、既存のモジュールにおける点光源の視認形状を容易に装飾できるという効果を有する。また、加飾シートおよび支持部材の間に、両者を接着する接着層が形成されていてもよい。
【００６９】
モジュールは、例えば図１１に示すように、点光源を固定する固定部材を有していてもよい。固定部材としては、例えば、金属、樹脂、ガラスが挙げられる。固定部材は、透明性を有していてもよく、有していなくてもよい。
【００７０】
本開示におけるモジュールの典型例は照明器具である。照明器具は、例えば、家庭用、家電用、自動車内装用、アミューズメント用等の各種用途に用いることができる。
【００７１】
本開示は、上記実施形態に限定されるものではない。上記実施形態は、例示であり、本開示における特許請求の範囲に記載された技術的思想と実質的に同一な構成を有し、同様な作用効果を奏するものは、いかなるものであっても本開示における技術的範囲に包含される。
【実施例】
【００７２】
［実施例１〜５］
（転写原版の準備）
銅めっきをした鉄製のシリンダー上に、全自動レーザーグラビア製版システム（シンク・ラボラトリー製ＮＥＷＦＸ３）を用いて、ライン状の凹凸パターンを有する区画領域を形成し、転写原版を得た。区画領域は、加飾シートの単位画素部を形成する部位に該当する。転写原版には、５０ｍｍ角のパターン領域を３個連続して形成した。１個目のパターン領域を、図５（ａ）に示すパターン領域（０°、９０°）とし、２個目のパターン領域を、図５（ｂ）に示すパターン領域（０°、±６０°）とし、３個目のパターン領域を、図５（ｃ）に示すパターン領域（０°、±４５°、９０°）とした。
【００７３】
（加飾シートの作製）
基材（ＰＥＴフィルム、東洋紡績製コスモシャイン）の一方の面に、下記の組成を有する紫外線硬化樹脂を塗布して樹脂層を形成し、その樹脂層に、上記シリンダーを押圧し、基材側から紫外線照射（波長３６５ｎｍ、照射エネルギー１７０ｍＪ／ｃｍ２）を行い、紫外線硬化樹脂を硬化させ、凹凸層を形成した。その後、シリンダーから凹凸層を剥離し、加飾シートを得た。
・ウレタンアクリレート  …  ３５質量％
・１，６−ヘキサンジオールジアクリレート  …  ３５質量％
・ペンタエリスリトールトリアクリレート  …  １０質量％
・ビニルピロリドン  …  １５質量％
・１−ヒドロキシシクロヘキシルフェニルケトン  …  ２質量％ 
・ベンゾフェノン  …  ２質量％
・ポリエーテル変性シリコーンオイル  …  １質量％
【００７４】
なお、加飾シートにおける単位画素部の詳細を表１に示す。ライン本数は、凹部および凸部の合計本数である。例えば、ライン本数が１０本であれば、凸部は５本、凹部も５本となる。
【００７５】
［比較例１］
銅製の板上に、超精密加工機（ファナック製ＲＯＢＯＮＡＮＯ）を用いた切削により、凹凸パターンを形成し、転写原版を得た。転写原版には、５０ｍｍ角のパターン領域を３個連続して形成した。１個目のパターン領域を、図１２（ａ）に示すパターン領域（０°、９０°）とし、２個目のパターン領域を、図１２（ｂ）に示すパターン領域（０°、±６０°）とし、３個目のパターン領域を、図１２（ｃ）に示すパターン領域（０°、±４５°、９０°）とした。得られた転写原版を用いたこと以外は、実施例１と同様にして、加飾シートを得た。なお、比較例１における凹凸段差とは、三角錐の底辺から頂点までの高さをいう。また、比較例１における凹凸周期とは、隣り合う切削溝の間隔をいう。
【００７６】
［評価］
実施例１〜５および比較例１で得られた加飾シートについて、以下の評価を行った。
【００７７】
（点光源の装飾形状）
実施例１〜５およびで比較例１得られた加飾シートを、１００ｍｍ角に切り出し、サンプルを得た。得られたサンプルを、点光源（白色ＬＥＤ）から５０ｃｍ離して配置し、点光源の装飾形状を特定した。
【００７８】
１個目のパターン領域（図５（ａ）に示すパターン領域）では、点光源の形状が、十字のように四方向に装飾された。同様に、２個目のパターン領域（図５（ｂ）に示すパターン領域）では、点光源の形状が六方向に装飾された。同様に、３個目のパターン領域（図５（ｃ）に示すパターン領域）では、点光源の形状が八方向に装飾された。なお、比較例１においても、点光源が、それぞれ、四方向、六方向および八方向に装飾された。
【００７９】
（パターンの欠陥）
実施例１〜５および比較例１で得られた加飾シートを、１００ｍｍ角に切り出し、サンプルを得た。得られたサンプルに対して、目視により確認できる欠陥数のカウントを行った。評価基準は、以下の通りである。
○：目視できる欠陥なし
×：目視できる欠陥あり
【００８０】
その結果を表１に示す。表１に示すように、実施例１〜５では、パターンの欠陥が生じていなかった。これに対して、比較例１では、パターンの欠陥が生じていた。このように、本開示においては、複数の単位画素部を用いて単位画素部群を作製することで、凹凸パターンの欠陥が少ない加飾シートが得られた。
【００８１】
（装飾形状の変化部の状態）
実施例１〜５および比較例１で得られた加飾シートを、１００ｍｍ角に切り出し、サンプルを得た。得られたサンプルを、点光源（白色ＬＥＤ）から５０ｃｍ離して配置し、その５０ｃｍ上方位置から単位画素部群の観察を行った。試験環境は、照度４００ルクス（明るいオフィス相当）とした。評価基準は、以下の通りである。被験者１０名(２０代から６０代まで)とし、装飾形状の変化部（継ぎ目）を視認できる人数をカウントし、下記判定とした。
〇：３名以下
×：４名以上
【００８２】
その結果を表１に示す。表１に示すように、実施例１〜５では、装飾形状の変化部が視認されにくい状態であった。これに対して、比較例１では、装飾形状の変化部（継ぎ目）が視認されやすい状態であった。このように、例えば、装飾形状を連続的に変化させる場合であっても、複数の単位画素部を用いて単位画素部群を作製することで、装飾形状の変化部（継ぎ目）が視認されにくい加飾シートが得られた。
【００８３】
【表１】
2020175567.tif 000003
【符号の説明】
【００８４】
１  …  基材
２  …  凹凸層
１０  …  加飾シート
１１  …  単位画素部
１１１  …  凹凸パターン
【図１】
2020175567.tif 000004
【図２】
2020175567.tif 000005
【図３】
2020175567.tif 000006
【図４】
2020175567.tif 000007
【図５】
2020175567.tif 000008
【図６】
2020175567.tif 000009
【図７】
2020175567.tif 000010
【図８】
2020175567.tif 000011
【図９】
2020175567.tif 000012
【図１０】
2020175567.tif 000013
【図１１】
2020175567.tif 000014
【図１２】
2020175567.tif 000015